(57)【特許請求の範囲】
【請求項１】
バルコニー付き建物におけるバルコニーの床部と下階の天井部との間の空間を換気するバルコニー床下換気構造であって、
前記バルコニーの床部と前記下階の天井部との間に位置する壁部に、前記空間と連通する軒先側換気口が設けられ、前記バルコニーに隣接する居室外壁部の前記バルコニーの床部との接合部又は接合部近傍に、前記空間と連通する居室側換気口が設けられているとともに、
前記軒先側換気口及び前記居室側換気口は、水平方向に長いスリット状に設けられており、前記軒先側換気口は、前記居室側換気口よりも大きな開口面積とされていることを特徴とするバルコニー床下換気構造。
【請求項２】
前記軒先側換気口及び前記居室側換気口は、前記バルコニーの平面視長辺側に設けられていることを特徴とする請求項１に記載のバルコニー床下換気構造。
【請求項３】
スリット状の前記軒先側換気口には、長尺の目隠し用兼水切用のカバー材が下部を排水用の隙間を確保し固定して設けられていることを特徴とする請求項１又は２に記載のバルコニー床下換気構造。
【請求項４】
前記軒先側換気口及び前記居室側換気口には、立ち上がり換気経路が形成されていることを特徴とする請求項１乃至３のいずれか一項に記載のバルコニー床下換気構造。
【請求項５】
前記立ち上がり換気経路中には、換気用ガラリが設けられていることを特徴とする請求項４に記載のバルコニー床下換気構造。
【請求項６】
前記バルコニーの床部上に、通気性を有する高床が設けられていることを特徴とする請求項１乃至５のいずれか一項に記載のバルコニー床下換気構造。
【発明の詳細な説明】
【技術分野】
【０００１】
本発明は、バルコニー付き建物におけるバルコニーの床部と下階の天井部との間の空間を換気するバルコニー床下換気構造に関するものである。
【背景技術】
【０００２】
従来、バルコニー付き建物においては、バルコニーの床部と下階の天井部との間の空間における熱気充満防止や結露防止のために、同空間を換気することがなされている（例えば特許文献１等を参照）。
【特許文献１】特開２００６−３７６７９号公報
【発明の開示】
【発明が解決しようとする課題】
【０００３】
しかしながら、上記した従来のバルコニー床下換気構造では、通常、建物の最下階の壁部の下端部に設けた隙間を吸気側の換気口とし、排気側の換気口は、屋根の軒裏などに設けられていた。よって、吸気側の換気口と排気側の換気口との距離が長く、効率的な換気を行うことができなかった。
【０００４】
そこで、本発明は、吸気側の換気口と排気側の換気口との距離を短くすることによって、効率的な換気を行うことができるバルコニー床下換気構造を提供することを目的としている。
【課題を解決するための手段】
【０００５】
前記目的を達成するために、本発明のバルコニー床下換気構造は、バルコニー付き建物におけるバルコニーの床部と下階の天井部との間の空間を換気するバルコニー床下換気構造であって、前記バルコニーの床部と前記下階の天井部との間に位置する壁部に、前記空間と連通する軒先側換気口が設けられ、前記バルコニーに隣接する居室外壁部の前記バルコニーの床部との接合部又は接合部近傍に、前記空間と連通する居室側換気口が設けられていることを特徴とする。
【０００６】
ここで、前記軒先側換気口及び前記居室側換気口は、前記バルコニーの平面視長辺側に設けられているとよい。
【０００７】
また、前記軒先側換気口及び前記居室側換気口は、水平方向に長いスリット状に設けられており、前記軒先側換気口は、前記居室側換気口よりも大きな開口面積とされているとよい。
【０００８】
さらに、スリット状の前記軒先側換気口には、長尺の目隠し用兼水切用のカバー材が下部を排水用の隙間を確保し固定して設けられていてもよい。
【０００９】
また、前記軒先側換気口及び前記居室側換気口には、立ち上がり換気経路が形成されているとよい。
【００１０】
また、前記立ち上がり換気経路中には、換気用ガラリが設けられているとよい。
【００１１】
さらに、前記バルコニーの床部上に、通気性を有する高床が設けられていてもよい。
【発明の効果】
【００１２】
このように構成された本発明のバルコニー床下構造は、バルコニー付き建物におけるバルコニーの床部と下階の天井部との間に位置する壁部に、バルコニーの床部と下階の天井部との間の空間と連通する軒先側換気口が設けられ、バルコニーに隣接する居室外壁部のバルコニーの床部との接合部又は接合部近傍に、前記空間と連通する居室側換気口が設けられた構成なので、従来技術に比して、吸気側の換気口と排気側の換気口との距離が短くなり、効率的な換気を行うことができる。
【００１３】
ここで、軒先側換気口及び居室側換気口がバルコニーの平面視長辺側に設けられている場合は、吸気側の換気口と排気側の換気口との距離がさらに短くなり、より効率的な換気を行うことができる。
【００１４】
また、軒先側換気口及び居室側換気口が、水平方向に長いスリット状に設けられており、軒先側換気口が居室側換気口よりも大きな開口面積とされている場合は、軒先側換気口が吸気側の換気口となり、居室側換気口は排気側の換気口となって、バルコニーの床部と下階の天井部との間の空間内の空気の流れがよくなり、さらにより効率的な換気を行うことができる。
【００１５】
さらに、スリット状の軒先側換気口に、長尺の目隠し用兼水切用のカバー材が下部を排水用の隙間を確保し固定して設けられる場合は、このカバー材が雨仕舞の役目を果たすとともに、スリット状の軒先側換気口が露出されないので、意匠的外観もよくなる。
【００１６】
また、軒先側換気口及び居室側換気口に、立ち上がり換気経路が形成されている場合は、バルコニーの床部と下階の天井部との間の空間内に、雨水が入り込む心配がない。
【００１７】
また、立ち上がり換気経路中に、換気用ガラリが設けられている場合は、空気中の湿気の浸入を極力防止して、バルコニーの床部と下階の天井部との間の空間内を乾燥状態に近く保てる。
【００１８】
さらに、バルコニーの床部上に、通気性を有する高床が設けられている場合は、居室側換気口が露出されないので、意匠的外観がよいうえに、バルコニーの床部に直射日光があたらないので、バルコニーの床部と下階の天井部との間の空間内の熱気充満防止にさらに効果的である。
【発明を実施するための最良の形態】
【００１９】
以下、本発明の最良の実施の形態について図面に基づいて説明する。
【００２０】
本実施の形態のバルコニー床下換気構造は、図１と図２に例示したバルコニー付き建物１におけるバルコニーの床部３と下階の天井部４との間の空間Ｓを換気するものである（図３と図４を参照）。
【００２１】
図１と図２に例示したバルコニー付き建物１は、建物ユニット１Ａを１階部分に４つ並べ、２階部分には建物ユニット１Ａを３つ積み重ね、残る２階の左前の部分にバルコニーとしてのバルコニーユニット２を積み重ねて組み上げたユニット建物である。
【００２２】
図３に示したように、バルコニーユニット２の床部３と、このバルコニーユニット２下の１階の建物ユニット１Ａの天井部４との間に位置する壁部５（バルコニーユニット２の手摺り壁２０を構成する外壁材２Ａと１階の建物ユニット１Ａの壁材５Ａとの間）に、空間Ｓと連通する軒先側換気口６が設けられている。
【００２３】
また、図４に示したように、バルコニーユニット２に隣接する建物ユニット１Ａの居室外壁部７のバルコニーユニット２の床部３との接合部に、空間Ｓと連通する居室側換気口８が設けられている。
【００２４】
ここで、床部３は、１階の建物ユニット１Ａの天井梁４１を床梁に利用して、その上側フランジ部の上面に受け具３１，・・・をボルト３４，・・・とナット３５，・・・で係止し、受け具３１，・・・の上面に横架された床小梁３２，・・・の上面に床板３０が貼り付けられた構成とされている。
【００２５】
また、天井部４は、１階の建物ユニット１Ａの天井梁４１の下側フランジ部の上面に横架された天井小梁４２，・・・の下面に天井板４０が貼り付けられた構成とされている。
【００２６】
さらに、バルコニーユニット２の手摺り壁２０は、外壁材２Ａと内壁材２Ｂとを上下の角型鋼の胴縁２１，２１を介し接合して構成されている。
【００２７】
ここで、内壁材２Ｂの下部においては、下側の胴縁２１と床板３０の端部との間は、水切シート２２により止水されている。そのうえ、カバー水切材２３により、見栄えがよいように水切シート２２は目隠しされている。
【００２８】
また、図１〜図４に示したように、軒先側換気口６及び居室側換気口８は、バルコニーユニット２の平面視長辺側に設けられている。
【００２９】
さらに、図５と図６に示したように、軒先側換気口６及び居室側換気口８は、水平方向に長いスリット状に設けられている。そして、図示は省略したが、軒先側換気口６は、居室側換気口８よりも水平方向に長く形成され、相対的に大きな開口面積とされている。
【００３０】
また、図３と図５に示したように、スリット状の軒先側換気口６には、長尺の目隠し用兼水切用のカバー材９が下部を排水用の隙間３８を確保し固定して設けられている。
【００３１】
具体的には、このカバー材９は、まず、複数の基盤部材９ａ，・・・を一定間隔を空けてねじ９ｂ，・・・で１階の建物ユニット１Ａの壁材５Ａの上端部に取付け固定するとともに、基盤部材９ａ，・・・の上から化粧部材９ｃを嵌め込み、ねじ９ｄ，・・・で取付け固定して設けられている。この化粧部材９ｃと基盤部材９ａ，・・・との間の隙間３８から水切された雨水が排水される。
【００３２】
また、図３に示したように、軒先側換気口６には、その一方の面に予め水切シート１０を貼り付けておいた換気用ガラリ１３（図７を参照）の残る他方の面を、外壁材２Ａの内側に設けた固定板１４に貼り付け、水切シート１０の下端部は、カバー材９の基盤部材９ａに止着するとともに、外壁材２Ａの内側下端部には、水返しシート１５を設けて、立ち上がり換気経路１１が形成されている。
【００３３】
また、図４に示したように、居室側換気口８にも、その一方の面に予め水切シート１０を貼り付けておいた換気用ガラリ１３（図７を参照）の残る他方の面を、居室側に設けたスペーサー１６に貼り付け、水切シート１０の上端部は、居室外壁部７の裏側から設けたカバー水切材１７の下端部に止着している。そのうえ、このカバー水切材１７の裏面で、換気用ガラリ１３の水切シート１０を貼り付けた側の下端部に水返し金具１８を設けている。さらに、床小梁３２，・・・間の床板３０の下面端部に断面Ｌ形の固定金具３６，・・・を設け、この固定金具３６，・・・と換気用ガラリ１３との間の隙間を塞ぐように、水切板３７を固定金具３６，・・・の立ち上がり部の表面に設けている。こうして、立ち上がり換気経路１２が形成されている。
【００３４】
ここで、換気用ガラリ１３としては、図８に示したような山形ガラリを使用しているが、空気中の湿気の浸入を極力防止する機能を有するものであればよいので、これに限定されない。
【００３５】
さらに、バルコニーユニット２の床部３を構成する床板３０は、桁間を差し渡す方向に設けられた凸部３３，・・・を有する溝板であり、この床板３０の凸部３３，・・・上には、通気性を有する高床１９が設けられている。
【００３６】
このように構成された本発明のバルコニー床下換気構造は、バルコニー付き建物１におけるバルコニーユニット２の床部３と１階の建物ユニット１Ａの天井部４との間に位置する壁部５（壁材５Ａと外壁材２Ａとの間）に、バルコニーユニット２の床部３と１階の建物ユニット１Ａの天井部４との間の空間Ｓと連通する軒先側換気口６が設けられている。そのうえ、バルコニーユニット２に隣接する居室外壁部７のバルコニーユニット２の床部３との接合部に、空間Ｓと連通する居室側換気口８が設けられた構成である。よって、従来技術に比して、吸気側の換気口と排気側の換気口との距離が短くなり、効率的な換気を行うことができる。
【００３７】
ここで、軒先側換気口６及び居室側換気口８はバルコニーユニット２の平面視長辺側に設けられているので、吸気側の換気口と排気側の換気口との距離がさらに短くなり、より効率的な換気を行うことができる。
【００３８】
また、軒先側換気口６及び居室側換気口８は、水平方向に長いスリット状に設けられており、軒先側換気口６が居室側換気口８よりも大きな開口面積とされているので、通常、空間Ｓ内の空気の温度は外気の温度より高いことから、空間Ｓ内と外気との間に気圧差が生じる。そして、その気圧差によって、軒先側換気口６が吸気側の換気口となり、居室側換気口８は排気側の換気口となって、バルコニーユニット２の床部３と１階の建物ユニット１Ａの天井部４との間の空間Ｓ内の空気の流れがよくなり、さらにより効率的な換気を行うことができる。ここで、図１及び図３と図４の点線Ｗで表した矢印が空気の流れを示している。
【００３９】
さらに、スリット状の軒先側換気口６に、長尺の目隠し用兼水切用のカバー材９が下部を排水用の隙間を確保し固定して設けられているので、このカバー材９が雨仕舞いの役目を果たすとともに、スリット状の軒先側換気口６が露出されないので、意匠的外観もよい。
【００４０】
また、軒先側換気口６及び居室側換気口８に、立ち上がり換気経路１１，１２が形成されているので、バルコニーユニット２の床部３と１階の建物ユニット１Ａの天井部４との間の空間Ｓ内に、雨水が入り込む心配がない。
【００４１】
また、立ち上がり換気経路１１，１２中に、換気用ガラリ１３がそれぞれ設けられているので、空気中の湿気の浸入を極力防止して、バルコニーユニット２の床部３と１階の建物ユニット１Ａの天井部４との間の空間Ｓ内を乾燥状態に近く保てる。
【００４２】
さらに、バルコニーユニット２の床部３を構成する床板３０上に、通気性を有する高床１９が設けられているので、居室側換気口８が露出されず、意匠的外観がよいうえに、バルコニーユニット２の床部３を構成する床板３０に直射日光があたらないので、バルコニーユニット２の床部３と１階の建物ユニット１Ａの天井部４との間の空間Ｓ内の熱気充満防止にさらに効果的である。
【００４３】
以上、図面を参照して、本発明の最良の実施の形態を詳述してきたが、具体的な構成は、この実施の形態に限らず、本発明の要旨を逸脱しない程度の設計的変更は、本発明に含まれる。
【００４４】
例えば、前記実施の形態では、バルコニー付き建物１としてユニット建物を適用して実施したが、通常の建物でも同様に実施できる。
【００４５】
また、前記実施の形態では、バルコニーを２階部分に設けた建物について実施したが、３階以上の部分に設けて実施してもよい。さらには、バルコニーの上に上階の居室又は屋根が有る態様で実施してもよい。
【図面の簡単な説明】
【００４６】
【図１】本発明の最良の実施の形態のバルコニー床下換気構造を適用したユニット建物の概略構成を示す斜視図である。
【図２】図１のユニット建物の概略構成を示す平面図である。
【図３】図２のＡ−Ａ線矢視断面図である。
【図４】図２のＢ−Ｂ線矢視断面図である。
【図５】図１のＣ部における部分拡大図である。
【図６】図１のＤ部における部分拡大図である。
【図７】換気用ガラリの片面に水切シートを貼り付けた状態を示す斜視図である。
【図８】換気用ガラリの概略構成を示す平面図である。
【符号の説明】
【００４７】
１      バルコニー付き建物
２      バルコニーユニット（バルコニー）
３      床部
４      天井部
５      壁部
Ｓ      空間
６      軒先側換気口
７      居室外壁部
８      居室側換気口
９      カバー材
１１    立ち上がり換気経路
１２    立ち上がり換気経路
１３    換気用ガラリ
１９    高床
【図１】
0005180548.tif 000002
【図２】
0005180548.tif 000003
【図３】
0005180548.tif 000004
【図４】
0005180548.tif 000005
【図５】
0005180548.tif 000006
【図６】
0005180548.tif 000007
【図７】
0005180548.tif 000008
【図８】
0005180548.tif 000009